(57)【要約】【課題】鏡筒駆動に連動するストロボのポップアップ動作及び収納動作で使用されるストロークを効率良く得る。【解決手段】スライド自在のレンズバリア３に、連動レバー３４を設ける。レンズバリア３を全開にして、連動レバー３４が回動させると、連動レバー３４の端面３５ａに、係止レバー３０の先端が乗り上がる。これにより、第１接続用突起２４と第２接続用突起３３の係合が解除され、ストロボ発光部１６は、圧縮バネ２５の付勢力によって、モータ２０から出力される動力の影響を受けることなく、収納位置から突出位置にまで移動するので、ストロボ発光部１６をポップアップさせるだけのストロークを十分に確保することが可能となる。【選択図】        図５
2004287256.tif 000002
【特許請求の範囲】
【請求項１】
カメラボディに備えられた駆動源から出力される動力によって、撮影レンズ鏡筒を沈胴位置と撮影待機位置との間で移動させる沈胴機構と、前記沈胴機構が、前記撮影レンズ鏡筒を移動させる沈胴駆動域で駆動されるときに、その駆動量に応じてストロボ発光部を収納位置と発光位置との間で移動させるポップアップ手段とを備えたストロボ内蔵カメラにおいて、
前記動力から前記ポップアップ手段に伝達するポップアップ用動力を得るための動力分岐手段を、前記駆動源から前記鏡筒に至る鏡筒用動力伝達経路の途中に設け、
前記動力分岐手段と前記ポップアップ手段とを接続する接続手段を設けるとともに、前記撮影レンズ鏡筒が、前記沈胴位置から前記撮影待機位置へ移動するまでの間に前記接続を断ち、前記撮影レンズ鏡筒を、前記沈胴位置に沈胴させる際に前記接続を復帰させる接続切り替え手段を設けたことを特徴とするストロボ内蔵カメラ。
【請求項２】
前記カメラボディの前面に対してレンズバリアをスライド自在に設けるとともに、前記レンズバリアのスライド動作と連動するように、前記レンズバリアに前記接続切り替え手段を設け、レンズバリアが全開位置にある時、前記接続切り替え手段によって、前記接続が断たれ、レンズバリアを閉じる方向にスライドさせた時、前記接続切り替え手段によって、前記接続が復帰することを特徴とする請求項１記載のストロボ内蔵カメラ。
【発明の詳細な説明】
【０００１】
【発明の属する技術分野】
本発明は、ストロボ発光部を有するカメラに関し、さらに詳しくは、ストロボ発光部を、撮影レンズ鏡筒の沈胴及び繰り出し動作に連動して、収納位置と発光位置との間で移動させることができるストロボ内蔵カメラに関する。
【０００２】
【従来の技術】
ストロボが内蔵されているカメラの中には、撮影レンズ鏡筒の沈胴、及び繰り出し動作に連動して、ストロボ発光部の収納及び突出を行なうカメラがある（特許文献１参照。）。この種のカメラでは、ストロボ発光部を移動させる駆動力に、撮影レンズ鏡筒を沈胴及び繰り出しする駆動源が兼用されている。カメラの電源が投入されて撮影レンズ鏡筒が沈胴位置から繰り出されると、これに連動してストロボ発光部が収納位置から発光位置に移動する。また、カメラの電源が切られて撮影レンズ鏡筒が沈胴されると、ストロボ発光部が発光位置から収納位置に移動する。
【０００３】
更に、ズームレンズを備えたカメラでは、撮影レンズ鏡筒が沈胴位置と電源投入時の初期位置となるワイド位置との間にある区間でだけ、駆動源とストロボ発光部とを連動させ、撮影レンズ鏡筒がワイド位置からテレ位置にある間は、駆動源とストロボ発光部との連動を断ち切るようにしている。
【０００４】
【特許文献１】
特開２０００−３４７２５０号公報
【０００５】
【発明が解決しようとする課題】
しかしながら、小型化が進む最近のカメラ、特にワイド撮影系のカメラでは、撮影レンズ鏡筒のワイド位置からテレ位置にかけてのストロークに対し、沈胴位置からワイド位置にかけてのストロークが少なくなっている。つまり、ストロボを収納位置から発光位置へ移動させるために動力として使いたい部分のストロークが少なく、動力として使わず、連動を断ち切っているストロークが多くなってしまっている。このように、カメラの小型化に伴い、動力として使いたい部分のストロークが少なくなっていくと、設置するストロボの大きさにも制限が加えられてしまうという問題も発生してくる。
【０００６】
また、ワイド位置を、沈胴位置に対して遠くに設定すれば、ワイド位置と沈胴位置との間でストロボを収納することが可能だが、ワイドフォーカスの動作域に近づいてしまうので、ストロボ発光部が動き、商品価値が著しく損なわれる。
【０００７】
本発明は上記事情を考慮してなされたもので、撮影レンズ鏡筒駆動とストロボ駆動との連動機構に工夫を施すことによって、ストロボが収納位置と発光位置との間で移動するためのストローク及び力量を効率良く得ることができるストロボ内蔵カメラを提供することを目的とする。
【０００８】
【課題を解決するための手段】
上記目的を達成するために、請求項１のストロボ内蔵カメラは、カメラボディに備えられた駆動源から出力される動力によって、撮影レンズ鏡筒を沈胴位置と撮影待機位置との間で移動させる沈胴機構と、前記沈胴機構が、前記撮影レンズ鏡筒を移動させる沈胴駆動域で駆動されるときに、その駆動量に応じてストロボ発光部を収納位置と発光位置との間で移動させるポップアップ手段とを備えたものであって、前記動力から前記ポップアップ手段に伝達するポップアップ用動力を得るための動力分岐手段を、前記駆動源から前記鏡筒に至る鏡筒用動力伝達経路の途中に設け、前記動力分岐手段と前記ポップアップ手段とを接続する接続手段を設けるとともに、前記撮影レンズ鏡筒が、前記沈胴位置から前記撮影待機位置へ移動するまでの間に前記接続を断ち、前記撮影レンズ鏡筒を、前記沈胴位置に沈胴させる際に前記接続を復帰させる接続切り替え手段を設けたことを特徴としている。
【０００９】
また、請求項２のストロボ内蔵カメラは、前記カメラボディの前面に対してレンズバリアをスライド自在に設けるとともに、前記レンズバリアのスライド動作と連動するように、前記レンズバリアに前記接続切り替え手段を設け、レンズバリアが全開位置にある時、前記接続切り替え手段によって、前記接続が断たれ、レンズバリアを閉じる方向にスライドさせた時、前記接続切り替え手段によって、前記接続が復帰するように構成されたものである。
【００１０】
【発明の実施の形態】
図１及び図２は、本発明であるストロボ内蔵カメラの不使用時及び使用時の状態を示す外観斜視図である。ストロボ内蔵カメラ２の本体を構成しているカメラボディ１０の前面には、図中左方に位置する使用位置と、中央部に位置する不使用位置との間でスライド自在とされたレンズバリア３が取り付けられている。
【００１１】
このレンズバリア３が不使用位置にある際にレンズバリア３によって覆い隠される位置には、撮影レンズ鏡筒４、対物側ファインダ窓５、測光窓６、リモコン受信部７が設けられている。また、対物側ファインダ窓５の左右には、被写体までの距離を測定するための投光素子と受光素子とが奥に組み込まれている。
【００１２】
撮影レンズ鏡筒４は、不使用時にカメラボディ１０内に沈胴し、電源投入時にカメボディ１０の前面から繰り出される。撮影レンズ鏡筒４内には、ズーム光学系を構成する撮影レンズ９が組み込まれている。
【００１３】
レンズバリア３は略板状であり、カメラボディ１０の前面上下部分に設けられた溝１１に嵌合されてスライド自在とされている。この溝１１の奥には、レンズバリア３のスライドに連動してオン／オフする電源スイッチが組み込まれており、スライドカバーが全開すると電源スイッチがオンするように構成されている。また、レンズバリア３の裏面には、後述する接続切り替え手段である連動レバーの連動用突起が係合する円弧状の溝３ａが形成されている。
【００１４】
カメラボディ１０の上面には、半押しで測光と測距とを行い、深く押し込まれることでシャッタレリーズとストロボ発光とを行わせるシャッタボタン１２が設けられている。
【００１５】
カメラボディ１０の前面上方角部には、ポップアップ式のストロボ装置１５が設けられている。このストロボ装置１５を構成しているストロボ発光部１６は、撮影レンズ鏡筒４の沈胴及び繰り出しに連動して、カメラボディ１０に収納される収納位置とカメラボディ１０から突出する発光位置との間で移動する。
【００１６】
図３は、ポップアップ機構を示す分解斜視図であり、図４は、ストロボ発光部１６を収納した状態を示す概略斜視図である。ズームレンズは、撮影レンズ９を内蔵した撮影レンズ鏡筒４によって構成されている。撮影レンズ鏡筒４は、移動筒４ａ、回転カム筒４ｂ、固定筒４ｃとから構成されている。回転カム筒４ｂには、モータ２０からギア列２１を介して回転駆動力が入力される。回転カム筒４ｂは、回転駆動力が入力されることで、固定筒４ｃに対して光軸方向に繰り出し、また、その回転を利用して移動筒４ａを繰り出す。
【００１７】
モータ２０で出力される動力から、後述するポップアップ手段に伝達するポップアップ用動力を得るために設けられた動力分岐手段は、ギア列２１の途中に設けられた動力分岐用ギア２２と、ラック板２３とから構成されている。図６に示すように、ラック板２３には、直方形状の第１接続用突起２４が設けられている。この第１接続用突起２４が設けられている面の下部にはラック２３ａが形成されており、動力分岐用ギア２２がラック２３ａに噛合している。ラック板２３は、光軸に交差する方向に移動自在に支持されており、モータ２０の駆動に応じて水平方向に往復動する。
【００１８】
ストロボ装置１５は、ストロボ発光部１６と、ポップアップ手段とから構成されている。ポップアップ手段は、圧縮バネ２５、コイルバネ２６、ポップアップレバー２７、連接部材２８、連動スライダー２９、係止レバー３０で構成されている。
【００１９】
ストロボ発光部１６の両側方には軸着部１６ａが形成されている。この軸着部１６ａには、カメラボディ１０に組み込まれた回動軸（不図示）が挿入され、ストロボ発光部１６を回動自在に支持する。また、ストロボ発光部１６の左方下部には、圧縮バネ２５及びポップアップレバー２７が圧接される圧接部３１が設けられている。圧接部３１は、裏面から、図３の破線矢印で示した方向に向けて、カメラボディ１０に組み込まれた圧縮バネ２５による付勢を常に受けている。
【００２０】
略Ｌ字形状のポップアップレバー２７は、第１アーム２７ａと第２アーム２７ｂとから構成されている。ポップアップレバー２７の屈曲部には、軸着部２７ｃが形成されている。この軸着部２７ｃには、カメラボディ１０に組み込まれた回動軸（不図示）が挿入され、ポップアップレバー２７を回動自在に支持する。ポップアップレバー２７には捩じりバネ  （不図示）が取り付けられており、ポップアップレバー２７は、捩じりバネによって、軸着部２７ｃを中心にして、図中時計方向に付勢されている。これにより、ストロボ発光部１６の圧接部３１の表側の面に、ポップアップレバー２７の第２アーム２７ｂが常に圧接した状態となる。
【００２１】
ポップアップレバー２７の第１アーム２７ａには、コイルバネ２６の一端を引掛けるための突起３２が形成されている。この突起３２に、コイルバネ２６の一端が取り付けられ、他端は、棒状の連接部材２８の一端に設けられたＬ字状の引掛け用部材３３に引掛けられる。連接部材２８の他端には、連動スライダー２９の一端を係合させるための半円形状の切り欠き２８ａが形成されており、この切り欠き２８ａは、連動スライダー２９の一端に形成された溝２９ａに回動自在に係合されている。また、連接部材２８の中央部には、軸着部２８ｂが形成されている。この軸着部２８ｂには、カメラボディ１０に組み込まれた回動軸（不図示）が挿入され、連接部材２８を回動自在に支持する。
【００２２】
棒状に形成されている連動スライダー２９は、ラック板２３と略平行に配置され、係止レバー３０を介してラック板２３と連動するように構成されている。係止レバー３０の略中央部には第２接続用突起３３が設けられている。この第２接続用突起３３近傍には、挿通穴３０ａが形成されており、この挿通穴３０ａには、連動スライダー２９に設けられた突起２９ｂが挿通されている。また、係止レバー３０の中央より右方は、弾性変形可能な板バネ部３０ｂとなっている。連動スライダー２９に設けられた突起２９ｃは、板バネ部３０ｂの下面に接するように位置決めされる。
【００２３】
連動スライダー２９は、係止レバー３０を介してラック板２３と接続されているが、その接続手段は、ラック板２３の第１接続用突起２４と係止レバー３０の第２接続用突起３３とから構成されている。図４に示すように、第１接続用突起２４の面２４ａが、第２接続用突起３３の面３３ａと当接することによって接続が成り立っている。
【００２４】
図４に示すように、レンズバリア３が不使用位置にある場合、ポップアップレバー２７は、連接部材２８によって、コイルバネ２６を介して、図中の矢印の方向に引っ張られている。これにより、ポップアップレバー２７には、捩じりバネ（不図示）の付勢力に、連接部材２８から受ける引っ張り力が加わるため、ポップアップレバー２７の第２アーム２７ｂは、より強力にストロボ発光部１６の圧接部３１に圧接される。この圧接力は、圧接部３１が裏面より受ける圧縮バネ２５の付勢力よりも強くなるように設定されているため、ストロボ発光部１６は、軸着部１６ａを中心にして図中時計方向に回動し、収納位置に位置される。
【００２５】
図７に示すように、レンズバリア３の裏面には、接続切り替え手段として機能する略Ｌ字形状の連動レバー３４が設けられている。連動レバー３４は、第１腕部３５、第２腕部３６から構成されており、屈曲部には、軸着部３４ａが形成されている。軸着部３４ａには、カメラボディ１０に取り付けられた回動軸（不図示）が挿入され、連動レバー３４を回動自在に支持する。第２腕部３６には、連動用突起３７が設けられている。この連動用突起３７は、レンズバリア３の裏面に形成された溝３ａに係合している。
【００２６】
図２に示すように、レンズバリア３をスライドさせ、全開にした場合、レンズバリア３のスライド動作に従い、連動レバー３４の第２腕部３６に設けられた連動用突起３７は、レンズバリア３裏面の溝３ａを移動し、連動レバー３４は、図４の円弧状矢印の示す方向（図中反時計周り）に４５度回動する。また、レンズバリア３を全開にすると、レンズバリア３及び連動レバー３４はロックされ、さらに、電源スイッチがオンされ、モータ２０が駆動し始める。モータ２０から出力される動力が、ギア列２１を介して撮影レンズ鏡筒４に伝達され、撮影レンズ鏡筒４が駆動する。
【００２７】
撮影レンズ鏡筒４の駆動量に応じてラック板２３は、図４及び図５に示す矢印Ｂ方向に移動する。図８（ａ）に示すように、ラック板２３と連動する係止レバー３０は、その先端を、連動レバー３４の第１腕部３５の端面３５ａに向けて直動していく。図８（ｂ）に示すように、連動スライダー２９に取り付けられた係止レバー３０は、その先端の下方角部を、第１腕部３５の端面３５ａに摺動させながら、連動レバー３４の突起２９ｂを軸にして第１腕部３５上に乗り上げる。このとき、図８（ｃ）に示すように、係止レバー３０の板バネ部３０ｂは、突起２９ｃを支点にして撓み、係止レバー３０の先端は、板バネ部３０ｂの付勢力に抗して、連動レバー３４の第１腕部３５に支持される。このとき、接続手段によるポップアップ手段と動力分岐手段との接続は解除される。つまり、ラック板２３に設けられている第１接続用突起２４と係止レバー３０に設けられている第２接続用突起３３の位相がずれて、ラック板２３と係止レバー３０とが連動しなくなる。また、ポップアップ手段と動力分岐手段との接続解除は、撮影レンズ鏡筒４がワイド撮影待機位置に達する直前に行われるように設定されている。
【００２８】
図５に示すように、連動レバー３４によって、接続手段によるポップアップ手段と動力分岐手段との接続が解除された後、ストロボ発光部１６の圧接部３１裏面を付勢している圧縮バネ２５の付勢力によって、撮影レンズ鏡筒４の駆動に対応して動いていたストロボ発光部１６は、撮影レンズ鏡筒４の駆動とは無関係に独立して発光位置まで移動する。
【００２９】
レンズバリア３を使用位置から不使用位置（電源オフ位置）へ向けてわずか移動させると、モータ２０から出力される動力を受け、撮影レンズ鏡筒４が沈胴し始める。さらにレンズバリア３を不使用位置に向けて移動させると、レンズバリア３と連動している連動レバー３４が回転し、連動レバー３４は、図４に示すような位置に戻る。これと同時に、係止レバー３０は、板バネ部３０ｂの付勢によって、元の状態に戻る。つまり、ラック板２３に設けられた第１接続用突起２４の面２４ａと、係止レバー３０に設けられた第２接続用突起３３の面３３ａとが対面するような状態になる。ラック板２３が図５の矢印Ａ方向に移動すると、やがて、係止レバー３０に設けられた第２接続用突起３３の面３３ａは、ラック板２３に設けられた第１接続用突起２４の面２４ａによって押圧される。押圧が開始された瞬間からポップアップ手段と動力分岐手段との接続が復帰する。
【００３０】
連動スライダー２９は、係止レバー３０を介してラック板２３と連動しているため、連動スライダー２９によって、連接部材２８の端部は押圧される。これにより、連接部材２８は、軸着部２８ｂを中心にして反時計方向に回動し、コイルバネ２６を介してポップアップレバー２７の第１アーム２７ａの端部を図４の矢印方向に引っ張る。ポップアップレバー２７は、時計方向に回動し、ポップアップレバー２７の第２アーム２７ｂは、ストロボ発光部１６の圧接部３１に圧接する。第２アーム２７ｂが圧接部３１に及ぼす圧力は、圧接部３１の裏面から圧接部３１を押圧している圧縮バネ２５の付勢力を上回るように設定されているため、ストロボ発光部１６は、軸着部２８ｂを中心にして収納位置まで回動する。
【００３１】
次に、上記実施形態の作用について説明する。図１に示すように、不使用時のカメラ２は、レンズバリア３が中央の不使用位置にスライドされ、撮影レンズ９等が保護されている。この不使用状態では、ストロボ発光部１６もカメラボディ１０内に収納されている。
【００３２】
図２に示すように、レンズバリア３を使用位置に向けてスライドさせると同時に、電源スイッチはオンされる。これに伴い、図４に示すように、モータ２０の駆動が開始される。モータ２０から出力された動力は、ギア列２１を介して撮影撮影レンズ鏡筒４に伝達され、撮影レンズ鏡筒４を駆動させる。
【００３３】
モータ２０から出力された動力は、ギア列２１の途中に設けられた動力分岐用ギア２２からラック板２３に伝達され、ラック板２３を、図４の矢印Ｂ方向に移動させる。これに伴い、係止レバー３０を介してラック板２３と連動するように構成されている連動スライダー２９も矢印Ｂ方向に移動を開始する。この連動スライダー２９の動きに伴い、連接部材２８は軸着部２８ｂを中心にして時計方向に回動し始める。この連接部材２８とコイルバネ２６を介して接続されているポップアップレバー２７は、反時計方向に回動し、ストロボ発光部１６は、ストロボ発光部１６の圧接部３１の裏面から押圧している圧縮バネ２５の付勢力を受け、軸着部１６ａを中心にして、突出する方向へと回動を始める。
【００３４】
レンズバリア３をさらにスライドさせ、レンズバリア３を全開にすると、レンズバリア３と連動するように設けられている連動レバー３４が、図４に示す円弧状矢印の方向に４５度回動し、レンズバリア３が全開位置でロックされるとともに、連動レバー３４もロックされる。
【００３５】
図４及び図８（ａ）、（ｂ）に示すように、連動スライダー２９が、矢印Ｂ方向に移動していくと、やがて、連動スライダー２９に取り付けられた係止レバー３０の先端が、円弧状矢印の方向に４５度回動した連動レバー３４の第１腕部３５の端面３５ａに接触する。
【００３６】
図８（ｃ）に示すように、連動スライダー２９が、さらに矢印Ｂ方向に移動していくと、圧縮バネ２５の付勢力を利用して、係止レバー３０の先端は、第１腕部３５の端面３５ａを摺動しながら移動していく。最終的には、第１接続用突起２４と第２接続用突起３３との接続が解除された係止レバー３０は、板バネ部３０ｂの付勢に抗しながら、突起２９ｂを軸にして連動レバー３４上に乗り上げた状態になる。
【００３７】
このようにして、撮影レンズ鏡筒４が、ワイド撮影待機位置の直前にまで差し掛かると、接続手段による接続が解除される。連動スライダー２９とラック板２３との接続が解除された後は、撮影レンズ鏡筒４をワイドフォーカス時に沈胴方向（図中矢印Ａ方向）に動かしても、第１接続用突起２４は第２接続用突起３３の下を空振りして通過するので、ストロボ発光部１６へ駆動力が伝わらないで済む。勿論、ズーム動作を行っても、ストロボ発光部１６へ駆動力が伝わらない。
【００３８】
また、連動レバー３４によって、接続手段によるポップアップ手段と動力分岐手段との接続が解除された後、ストロボ発光部１６の圧接部３１裏面を付勢している圧縮バネ２５の付勢力によって、撮影レンズ鏡筒４の駆動量に対応して動いていたストロボ発光部１６は、撮影レンズ鏡筒４の駆動とは無関係に独立して発光位置まで移動するので、小スペースでも、ストロボ発光部をポップアップさせるストロークを十分に確保することが可能となる。
【００３９】
レンズバリア３を使用位置から不使用位置に向けてスライドさせると、レンズバリア３と連動している連動レバー３４が回転し、図５に示すような状態から図４に示すような状態に戻る。これに伴い、係止レバー３０も板バネ部３０ｂの付勢によって、図８（ｃ）に示すような撓んだ状態から、図８（ａ）に示すような元の状態に戻り、係止レバー３０の第２接続用突起３３とラック板２３の第１接続用突起２４との高さが同じなる。
【００４０】
また、レンズバリア３を不使用位置に向けてわずかにスライドさせると同時に、電源スイッチはオフされ、モータ２０から出力される動力が、ギア列２１を介して撮影レンズ鏡筒４に伝達されると、撮影レンズ鏡筒４の沈胴が始まる。動力分岐手段によって動力を得たラック板２３は、図４に示す矢印Ａ方向に動く。
【００４１】
連動スライダー２９に取り付けられた係止レバー３０の第２接続用突起３３の面３３ａは、ラック板２３の第１接続用突起２４の面２４ａに対面する高さに位置しており、第２接続用突起３３の面３３ａを、ラック板２３の第１接続用突起２４の面２４ａが押圧することによって、連動スライダー２９がラック板２３とともに矢印Ａ方向に動き出す。
【００４２】
連動スライダ２９ーが動くことによって、連接部材２８の一端が押圧されると、連接部材２８は、軸着部２８ｂを中心にして反時計方向に回動する。この回動運動は、コイルバネ２６を介してポップアップレバー２７へと伝達され、図４に示す直線矢印方向に、ポップアップレバー２２７は引っ張られる。これにより、ポップアップレバー２７を時計方向に回動させ、ポップアップレバー２７の第２アーム２７ｂを、ストロボ発光部１６の圧接部３１に押圧させる。この押圧力は、圧接部３１を裏面から付勢している圧縮バネ２５の付勢力よりも大きく設定されているので、ストロボ発光部１６は、軸着部１６ａを中心にして収納する方向へと回動し、最終的に、所定の収納位置まで回動する。撮影レンズ鏡筒４が沈胴位置に位置されると同時に、ストロボ発光部１６も所定の収納位置に収納される。
【００４３】
上記実施形態では、接続切り替え手段として、回転運動をする連動レバー３４を用いたが、これに限ることなく、接続切り替え手段は、レンズバリア３と連動し、レンズバリア３が全開の位置にある場合には、接続手段によるポップアップ手段と動力分岐手段との接続を解除するように構成されていれば、その形態を種々変更することは可能である。
【００４４】
接続切り替え手段である連動レバー３４の設置箇所、形状、大きさ等を変更することによって、ポップアップ手段と動力分岐手段との接続を解除するタイミングを変えることができる。接続解除のタイミングは、撮影レンズ鏡筒４の沈胴位置からワイド撮影待機位置までの距離に応じて決定すれば良い。また、接続手段を構成しているラック板２３の第１接続用突起２４及び係止レバー３０の第２接続用突起３３の形状、配置、大きさ等を変えるようにしても、ポップアップ手段と動力分岐手段との接続を解除するタイミングを変えることができる。
【００４５】
また、上記実施形態では、ポップアップ手段と動力分岐手段との接続解除は、撮影レンズ鏡筒４が、ワイド撮影待機位置に達する直前に行われるように設定されているが、これに限ることなく、テレ撮影待機位置が沈胴位置に隣接している場合には、テレ撮影待機位置に達する直前に接続解除を行うようにしても良い。
【００４６】
上記実施形態では、接続切り替え手段である連動レバー３４を、レンズバリア３と連動するように設けてあるが、レンズバリアが備えられていないストロボ内蔵カメラにおいても本発明を適用することは可能である。
【００４７】
なお、上記実施形態では、本発明をコンパクトカメラに適用した例について説明したが、一眼レフカメラや、インスタントカメラ、電子スチルカメラ等にも適用することができる。
【００４８】
【発明の効果】
以上に説明したように、本発明のストロボ内蔵カメラは、レンズバリアと連動する接続切り替え手段を設け、撮影レンズ鏡筒が、沈胴位置からワイド撮影待機位置へ移動するまでの間に、動力分岐手段とポップアップ手段との接続を接続切り替え手段によって切断するようにし、撮影レンズ鏡筒を、沈胴位置に沈胴させる際には、動力分岐手段とポップアップ手段との接続を復帰させるようにしたので、沈胴位置から撮影待機位置までの距離が短いストロボ内蔵カメラでも、ストロボ発光部を収納位置と発光位置との間で移動させるだけのストロークを十分に確保することができ、無理なくストロボ発光部のポップアップ及び収納動作を行うことができる。
【図面の簡単な説明】
【図１】本発明のストロボ内蔵カメラの不使用時の状態を示す外観斜視図である。
【図２】ストロボ内蔵カメラの使用時の状態を示す外観斜視図である。
【図３】ポップアップ機構の構成を示す分解斜視図である。
【図４】ストロボ発光部が収納位置にある状態を示すポップアップ機構の概略斜視図である。
【図５】ストロボ発光部が発光位置にある状態を示すポップアップ機構の概略斜視図である。
【図６】動力分岐手段を示す概略斜視図である。
【図７】連動レバー及びスライドカバーの構成を示す概略斜視図である。
【図８】（ａ）は、係止レバーが接続切り替え手段に向かって移動している状態を示した説明図で、（ｂ）は、係止レバーが接続切り替え手段に接触している状態を示した説明図で、（ｃ）は、接続手段が解除された状態を示した説明図である。
【符号の説明】
２  ストロボ内蔵カメラ
３  レンズバリア
３ａ  溝
４  撮影レンズ鏡筒
１０  カメラボディ
１６  ストロボ発光部
２４  第１接続用突起
２５  圧縮バネ
２６  コイルバネ
２７  ポップアップレバー
２８  連接部材
２９  連動スライダー
３０  係止レバー
３３  第２接続用突起
【図１】
2004287256.tif 000003
【図２】
2004287256.tif 000004
【図３】
2004287256.tif 000005
【図４】
2004287256.tif 000006
【図５】
2004287256.tif 000007
【図６】
2004287256.tif 000008
【図７】
2004287256.tif 000009
【図８】
2004287256.tif 000010